(57)【要約】【課題】採取ブラシを容器から取り出しやすい検体採取デバイスを提供する。【解決手段】検体採取デバイスは、一端に開口１０を有する細長い容器１と、容器１の一端に取り付けられるキャップ３と、検体を採取するための細長い採取ブラシ２と、を備える。採取ブラシ２はその先端に毛束２０を有する。毛束２０は、反発性を有する。採取ブラシ２は、容器１の収容空間１４の長さよりも長い。採取ブラシ２が収容空間１４に挿入されかつ採取ブラシ２の基端が収容空間１４の外にある状態でキャップ３が容器１の一端に取り付けられる際、採取ブラシ２の基端がキャップ３によって毛束２０の反発力に抗して収容空間１４に押し込まれる。キャップ３が容器１の一端から取り外されると、収容空間１４に収容されている採取ブラシ２の基端は、毛束２０の反発力により開口１０から収容空間１４の外に出る。【選択図】図３
0003221808.tif 000002
【実用新案登録請求の範囲】
【請求項１】
検体を採取するために用いられる検体採取デバイスであって、
一端に開口を有し、他端が閉口した細長い容器と、
前記開口を閉じるために、前記容器の前記一端に取り付けられるキャップと、
前記検体を採取するための細長い採取ブラシと、を備え、
前記採取ブラシは、その先端に毛束を備え、
前記毛束は、反発性を有し、
前記採取ブラシは、前記容器の収容空間の長さよりも長く、前記毛束側から前記開口を通じて前記収容空間に挿入されて前記収容空間の底に達したとき、前記採取ブラシの基端は、前記収容空間の外にあり、
前記採取ブラシが前記収容空間に挿入されかつ前記採取ブラシの前記基端が前記収容空間の外にある状態で前記キャップが前記容器の前記一端に取り付けられる際、前記採取ブラシの前記基端が前記キャップによって前記毛束の反発力に抗して前記収容空間に押し込まれ、
前記キャップが前記容器の前記一端から取り外されると、前記収容空間に収容されている前記採取ブラシの前記基端は、前記毛束の前記反発力により前記開口から前記収容空間の外に出る、
ことを特徴とする検体採取デバイス。
【請求項２】
前記採取ブラシは、スティックをさらに備え、
前記毛束は、前記スティックの一端に取り付けられ、
前記スティックの他端が、前記採取ブラシの前記基端を構成している、
ことを特徴とする請求項１に記載の検体採取デバイス。
【考案の詳細な説明】
【技術分野】
【０００１】
本考案は、検体を採取するために用いられる検体採取デバイスに関する。
【背景技術】
【０００２】
検体採取デバイスは、特許文献１‐４等に開示されているように、様々なものが開発されている。例えば、図４に例示される検体採取デバイスは、容器１’と、検体を採取するための採取ブラシ２’とを備える。採取ブラシ２’は、その先端に毛束２０’を備える。
【０００３】
被検者は、採取ブラシ２’を把持し、検体を毛束２０’で採取する。被検者は、図４の通り、採取ブラシ２’を容器１’内に収容して毛束２０’を保存液４に漬ける。そして、被検者は、キャップ（ここでは図示略）を容器１’に装着して容器１’の開口１０’を閉じる。その後、被検者は、検体採取デバイスを検査技師へ郵送などの形式で送る。検査技師は、検体採取デバイスを受け取る。
【０００４】
検査技師は、キャップを容器１’から取り外し、採取ブラシ２’を容器１’内から取り出し、その後、検体の検査作業に取り掛かる。このとき、採取ブラシ２’が容器１’に入り込んでいるので、ピンセットなどで採取ブラシ２’を摘んで容器１’から取り出さないといけない煩わしさがある。
【先行技術文献】
【特許文献】
【０００５】
【特許文献１】特開２０１１−０５８８０５号公報
【特許文献２】登録実用新案第３１６９６５９号公報
【特許文献３】特開２０１７−０２６５５４号公報
【特許文献４】特開平０７−２６０７７８号公報
【考案の概要】
【考案が解決しようとする課題】
【０００６】
本考案は、採取ブラシを容器から取り出しやすい検体採取デバイスを提供する。
【課題を解決するための手段】
【０００７】
本考案は、検体を採取するために用いられる検体採取デバイスであって、
一端に開口を有し、他端が閉口した細長い容器と、
前記開口を閉じるために、前記容器の前記一端に取り付けられるキャップと、
前記検体を採取するための細長い採取ブラシと、を備える。
前記採取ブラシは、その先端に毛束を備える。
前記毛束は、反発性を有する。
前記採取ブラシは、前記容器の収容空間の長さよりも長く、前記毛束側から前記開口を通じて前記収容空間に挿入されて前記収容空間の底に達したとき、前記採取ブラシの基端は、前記収容空間の外にある。
前記採取ブラシが前記収容空間に挿入されかつ前記採取ブラシの前記基端が前記収容空間の外にある状態で前記キャップが前記容器の前記一端に取り付けられる際、前記採取ブラシの前記基端が前記キャップによって前記毛束の反発力に抗して前記収容空間に押し込まれる。
前記キャップが前記容器の前記一端から取り外されると、前記収容空間に収容されている前記採取ブラシの前記基端は、前記毛束の前記反発力により前記開口から前記収容空間の外に出る。
【０００８】
前記採取ブラシは、スティックをさらに備えてよい。前記毛束は、前記スティックの一端に取り付けられてよい。前記スティックの他端が、前記採取ブラシの前記基端を構成してよい。
【考案の効果】
【０００９】
本考案に係る検体採取デバイスによれば、採取ブラシを容器から取り出しやすい。
【図面の簡単な説明】
【００１０】
【図１】図１Ａは、容器の断面を示し、図１Ｂは、採取具を示す。
【図２】図２Ａは、キャップを示し、図２Ｂは、キャップの内側を示し、図２Ｃは、キャップが取り付けられた容器を示す。
【図３】図３Ａ、図３Ｂは、実施形態に係る検体採取デバイスの使用を説明する図である。
【図４】従来の検体採取デバイスの使用を説明する図である。
【考案を実施するための形態】
【００１１】
以下、図面を参照して、本考案の一実施形態に係る検体採取デバイスが説明される。検体採取デバイスは、以下の実施形態では歯周病の検査のために必要な検体を採取するために用いられる。
【００１２】
図１Ａの通り、検体採取デバイスは、細長い容器１を備える。容器１はその一端に開口１０を有し、したがって一端に円筒形状の開口部１１を備える。容器１の他端は、閉口している。容器１は、開口部１１の外周面に螺旋状に形成された雄ネジ１２を備える。容器１は、本体部１３を備え、開口部１１および本体部１３によってその内部に収容空間１４が規定されている。
【００１３】
図１Ｂの通り、検体採取デバイスは、細長い採取ブラシ２をさらに備える。採取ブラシ２は、検体を採取するために被検者によって用いられる。採取ブラシ２は、その先端に毛束２０を備える。毛束２０は、複数の毛が束ねられたものである。毛束２０は、反発性を有する。したがって、外力を毛束２０に加えて毛束２０を曲げると、その反発力によって元の形状に戻ろうとする。故に、毛束２０の各毛は、反発性のある材料によって構成されている。毛の材料は、特に限定されるものではないが、例えば、ナイロン樹脂である。
【００１４】
採取ブラシ２は、スティック２１をさらに備える。毛束２０は、スティック２１の一端に取り付けられており、その各毛がスティック２１から直線的に伸びている。実施形態では、スティック２１は、円筒形状を有しており、毛束２０の基端は、スティック２１に差し込まれている。
【００１５】
採取ブラシ２の先端は、毛束２０によって構成されており、採取ブラシ２の基端は、実施形態では、スティック２１の毛束２０側とは反対側の端によって構成されている。
【００１６】
図１Ａ，Ｂの通り、容器１の収容空間１４は、長さＬａを有する。長さＬａは、収容空間１４の底１５と開口１０との間の長さとなる。採取ブラシ２は、長さＬｂを有しており、長さＬａよりも長い（Ｌｂ＞Ｌａ）。したがって、図３Ａの通り、採取ブラシ２が、毛束２０側から開口１０を通じて収容空間１４に挿入されて底１５に達したとき、採取ブラシ２の基端（スティック２１の毛束２０側とは反対側の端）は、収容空間１４に収容されず、収容空間１４の外にある。
【００１７】
図２Ａを参照して、検体採取デバイスは、キャップ３をさらに備える。キャップ３は、円筒形状を有する円筒部３０と、円筒部３０の一端に設けられ、円筒部３０の一端を閉じる頂面部３１とを備える。
【００１８】
図２Ｂの通り、キャップ３は、円筒部３０の内周面に形成された雌ネジ３２を備える。雌ネジ３２が、容器１の開口部１１の雄ネジ１２（図１Ａ）と螺合するように螺旋状に形成されている。
【００１９】
キャップ３は、その雌ネジ３２を雄ネジ１２に螺合させながら回締められることで容器１の開口部１１に装着され、それによって、図２Ｃの通り、容器１の開口１０がキャップ３によって閉じられる。
【００２０】
以下で、検体採取デバイスの使用例が説明される。歯周病の検査に利用される本実施形態では、被検者は、スティック２１を把持して、毛束２０を自身の口に入れて、歯肉溝を毛束２０で拭って、検体を毛束２０に保持させる。図３Ａの通り、液体４が収容空間１４内に収容されている。液体４は、実施形態では検体を保存する保存液である。
【００２１】
次いで、図３Ａの通り、採取ブラシ２は、被検者によって、毛束２０側から、開口１０を通じて容器１の収容空間１４に挿入される。毛束２０が液体４に付けられて収容空間１４の底１５に達すると、前述の通り、Ｌａ＜Ｌｂの関係ゆえに、採取ブラシ２の基端は収容空間１４に収容されず、収容空間１４の外にある。
【００２２】
次いで、採取ブラシ２が収容空間１４に挿入されかつその基端が収容空間１４の外に出ている状態でキャップ３が容器１の一端の開口部１１に取り付けられて、開口１０が閉じられる。この際、収容空間１４の外にある基端が、キャップ３の頂面部３１によって毛束２０の反発力に抗して収容空間１４へ押し込まれる。したがって、図３Ｂの通り、毛束２０の各毛は、収容空間１４の底１５に沿って曲げられる。そして、その状態で、採取ブラシ２全体が収容空間１４に収容され、開口１０がキャップ３によって閉じられる。
【００２３】
図３Ｂの通り、底１５において曲げられた毛束２０はその反発力によって元の状態に戻ろうとしており、それによって、採取ブラシ２の基部は、上向きに付勢されて、キャップ３の頂面部３１を押している。
【００２４】
次いで、検体採取デバイスは、被検者によって、図３Ｂの状態で郵送などの形式で検査技師に送られる。
【００２５】
次いで、検査技師によって、キャップ３が容器１の開口部１１から取り外される。収容空間１４に収容されている採取ブラシ２は上述のように毛束２０の反発力により上向きに付勢されている。したがって、キャップ３が容器１の一端から取り外されると、図３Ａの通り、毛束２０が元の状態に戻り、結果的に、採取ブラシ２の基端は、毛束２０の反発力により開口１０から収容空間１４の外に出る。
【００２６】
次いで、検査技師によって、採取ブラシ２の開口１０から出ている部分が把持され、採取ブラシ２が収容空間１４から取り出される。
【００２７】
こうして、検体および液体４だけを含む容器１が得られる。その後、検査技師が検体の検査作業に取り掛かる。
【００２８】
この検体採取デバイスは、以上の通り、毛束２０の反発性を利用して、キャップ３が取り外されたときに採取ブラシ２の基端が容器１の開口１０から出るようになっている。したがって、使用者は、採取ブラシ２を容器１から簡単に取り出すことができる。故に、ピンセット等を用いて採取ブラシ２を容器１から取り出すような煩わしさはない。
【００２９】
以上、本考案の好ましい一実施形態について説明されたが、本考案は、上記実施形態に当然ながら限定されるものではない。実施形態では、検体採取デバイスが歯周病の検査に利用されるものであったが、他の検体が採取ブラシ２によって採取されて、他の検査に利用されてもよい。キャップ３の容器１への取付けが、雄ネジ１２および雌ネジ３２のネジ係合方式であるが、他の取付けの方式が利用されてもよい。
【符号の説明】
【００３０】
１  容器
１０  開口
１１  開口部
１２  雄ネジ
１３  本体部
１４  収容空間
１５  底
２  採取ブラシ
２０  毛束
２１  スティック
３  キャップ
３０  円筒部
３１  頂面部
３２  雌ネジ
４  液体
【図１】
0003221808.tif 000003
【図２】
0003221808.tif 000004
【図３】
0003221808.tif 000005
【図４】
0003221808.tif 000006